(57)【要約】【課題】テレビジョン受像機において、ユーザが、スクリーンモードの切り替えにあたって、切り換え前後における画像の違いを視覚的に理解できるようにする。【解決手段】デジタル放送信号を受信中にスクリーンモード切換キー２２が１回操作されると、画像サンプル３１、３２が表示され、スクリーンモードが１６：９フルモードから１６：９シネマモードに切り換えられる。さらに、スクリーンモード切換キー２２が１回操作されると、画像サンプル３１、３２が表示され、スクリーンモードが１６：９シネマモードから１６：９エクスパンドモードに切り換えられる。ユーザは、切換前の画像サンプル３１及び切換後の画像サンプル３２において、カット表示部４１、帯表示部４２の有無及び位置、歪み表示部４３の形状を確認することにより、切り換え前後における画像の違いを視覚的に理解できる。【選択図】図３
2008301437.tif 000002
【特許請求の範囲】
【請求項１】
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、この制御手段に各種の指令を遠隔的に入力可能な指令入力手段とを備えたテレビジョン受像機において、
前記指令入力手段は、前記制御部にスクリーンモードの切換指令を入力するためのスクリーンモード切換キーを有し、
前記制御手段は、
前記スクリーンモード切換キーが操作されたとき、
前記映像出力手段の一部に、切換前の画像サンプルと切換後の画像サンプルをオンスクリーンディスプレイによって表示させることを特徴とするテレビジョン受像機。
【請求項２】
前記切換前の画像サンプル及び切換後の画像サンプルは、各スクリーンモードの表示においてカットされる部分を示したカット表示部と、各スクリーンモードの表示において帯表示される部分を示した帯表示部と、各スクリーンモードの表示において水平方向又は垂直方向に拡大又は縮小される程度を示す歪み表示部を有することを特徴とする請求項１に記載のテレビジョン受像機。
【請求項３】
前記受信手段は、アナログ放送信号及びデジタル放送信号を受信可能であり、映像音声信号処理手段は、前記受信手段が受信したアナログ放送信号及びデジタル放送信号を処理可能であることを特徴とする請求項２に記載のテレビジョン受像機。
【発明の詳細な説明】
【技術分野】
【０００１】
本発明は、テレビジョン受像機に関するものである。
【背景技術】
【０００２】
従来から、受信映像のフォーマットを知得して、上下又は左右の帯部を取り除いて表示するテレビジョン放送受信装置が知られている（例えば、特許文献１参照）。また、受信映像のアスペクト比情報を表示するテレビジョン放送受信装置が知られている（例えば、特許文献２参照）。なお、特許文献３には、ＯＳＤ表示データを画面のアスペクトに応じて自動的に最適化する技術が示されている。
【０００３】
【特許文献１】特開２００３−３３３４５５号公報
【特許文献２】特開２００３−１６９２６９号公報
【特許文献３】特開２００３−１５３１１５号公報
【発明の開示】
【発明が解決しようとする課題】
【０００４】
しかしながら、上記特許文献１及び特許文献２に示された技術においては、表示画面のアスペクト比等の変更を伴うスクリーンモードを切り替える際、切換前後における画像の違いを視覚的に理解するのが困難となるため、ユーザにとって使い勝手が悪い。
【０００５】
本発明は、上記課題を解決するためになされたものであり、ユーザが、スクリーンモードの切り替えにあたって、切り換え前後における画像の違いを視覚的に理解することのできるテレビジョン受像機を提供することを目的とする。
【課題を解決するための手段】
【０００６】
上記目的を達成するために請求項１の発明は、
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、この制御手段に各種の指令を遠隔的に入力可能な指令入力手段とを備えたテレビジョン受像機において、
前記指令入力手段は、前記制御部にスクリーンモードの切換指令を入力するためのスクリーンモード切換キーを有し、
前記制御手段は、
前記スクリーンモード切換キーが操作されたとき、
前記映像出力手段の一部に、切換前の画像サンプルと切換後の画像サンプルをオンスクリーンディスプレイによって表示させるものである。
【０００７】
請求項２の発明は、請求項１に記載のテレビジョン受像機において、
前記切換前の画像サンプル及び切換後の画像サンプルは、各スクリーンモードの表示においてカットされる部分を示したカット表示部と、各スクリーンモードの表示において帯表示される部分を示した帯表示部と、各スクリーンモードの表示において水平方向又は垂直方向に拡大又は縮小される程度を示す歪み表示部を有するものである。
【０００８】
請求項３の発明は、請求項１に記載のテレビジョン受像機において、
前記受信手段は、アナログ放送信号及びデジタル放送信号を受信可能であり、映像音声信号処理手段は、前記受信手段が受信したアナログ放送信号及びデジタル放送信号を処理可能であるものである。
【発明の効果】
【０００９】
請求項１の発明によれば、スクリーンモード切換キーが操作されたとき、映像出力手段の一部に、切換前の画像サンプルと切換後の画像サンプルをオンスクリーンディスプレイによって表示させるので、ユーザは、切り換え前後における画像の違いを視覚的に理解することできる。このような画像サンプルは、通常であればテレビジョン受像機の使用説明書等に記載されているが、ユーザはスクリーンモードを切り替えるたび毎に使用説明書等に目を通さなければならず、不便であった。しかしながら、本発明によれば、使用説明書等を確認することなしに切り換え前後における画像の違いを視覚的に理解できるので、テレビジョン受像機の使い勝手を高めることができる。
【００１０】
請求項２の発明によれば、切換前の画像サンプル及び切換後の画像サンプルは、カット表示部、帯表示部及び歪み表示部を有しているので、各スクリーンモードの表示においてカットされる部分、帯表示される部分及び水平方向又は垂直方向に拡大又は縮小される程度を視覚的に理解することができる。これにより、テレビジョン受像機の使い勝手を高めることができる。
【００１１】
請求項３の発明によれば、異なるスクリーンモードで規格されているアナログ放送信号及びデジタル放送信号のいずれの放送信号を受信した場合であっても、ユーザは、切換前後の画像サンプルを確認しながら、適切なスクリーンモードを選択することが可能となる。
【発明を実施するための最良の形態】
【００１２】
本発明を実施するための一実施形態について図面を参照して説明する。図１はテレビジョン受像機の外観を、図２は、テレビジョン受像機の内部構成をそれぞれ示している。テレビジョン受像機１は、テレビジョン放送信号を受信するチューナ（受信手段）２と、チューナ２によって受信された放送信号を復調するデコーダ３と、デコーダ３によって復調された放送信号を映像信号及び音声信号に分離する映像音声信号処理部（映像音声信号処理手段）４と、映像音声信号処理部４によって分離された映像信号を出力するモニタ画面を備えた映像出力部（映像出力手段）５と、映像音声信号処理部４によって分離された音声信号を出力するスピーカを備えた音声出力部（音声出力手段）６と、上記各部を制御するＣＰＵ等の制御部（制御手段）７と、制御部７の動作に必要な情報を記憶するメモリ８と、制御部７に各種の指令を遠隔的に入力可能なリモコン装置（指令入力手段）９と、リモコン装置９から入力された赤外線信号を受信し電気信号に変換して制御部７に出力する赤外線受信部１０を有している。
【００１３】
チューナ２は、アナログ放送信号及びデジタル放送信号を受信する。映像音声信号処理部４は、チューナ２が受信したアナログ放送信号及びデコーダ３によって復調されたデジタル放送信号をデジタル放送信号を処理する。映像出力部５は、制御部７から出力された指令信号に基づいて、例えば、１６：９フルモード、１６：９シネマモード、１６：９エクスパンドモード及び４：３サイドバーモード、４：３フルモード、４：３シネマモード等のスクリーンモードで画像を表示することができる。
【００１４】
リモコン装置９は、受信チャンネルを選局するためのチャンネル選局キー２０、音声出力部６から出力される音声の音量等を調整するための方向キー２１、制御部７にスクリーンモードの切換指令を入力するためのスクリーンモード切換キー２２を有している。上記映像出力部５のスクリーンモードの切換は、スクリーンモード切換キー２２を押すことによりなされる。本テレビジョン受像機１においては、スクリーンモード切換キー２２が操作されたとき、映像出力部５のモニタ画面の下端部にスクリーンモードの切換前の画像サンプルと切換後の画像サンプルをオンスクリーンディスプレイによって表示させる。
【００１５】
図３は、デジタル放送信号を受信中に切換可能なスクリーンモードと切換前後の画像サンプルを示している。図４は、アナログ放送信号を受信中に切換可能なスクリーンモードと切換前後の画像サンプルを示している。切換前の画像サンプル３１及び切換後の画像サンプル３２は、各スクリーンモードの表示においてカットされる部分を示したカット表示部４１と、各スクリーンモードの表示において帯表示される部分を示した帯表示部４２と、各スクリーンモードの表示において水平方向又は垂直方向に拡大又は縮小される程度を示す歪み表示部４３を有している。歪み表示部４３は、当初真円状に表示され、水平方向又は垂直方向に拡大又は縮小される場合には、楕円状に歪んで表示される。
【００１６】
デジタル放送信号を受信中にスクリーンモード切換キー２２が１回操作されると、図３（ａ）に示す画像サンプル３１、３２が表示され、スクリーンモードが１６：９フルモードから１６：９シネマモードに切り換えられる。さらに、スクリーンモード切換キー２２が１回操作されると、図３（ｂ）に示す画像サンプル３１、３２が表示され、スクリーンモードが１６：９シネマモードから１６：９エクスパンドモードに切り換えられる。さらに、スクリーンモード切換キー２２が１回操作されると、スクリーンモードが１６：９フルモードに復帰する。
【００１７】
アナログ放送信号を受信中にスクリーンモード切換キー２２が１回操作されると、図４（ａ）に示す画像サンプル３１、３２が表示され、スクリーンモードが４：３サイドバーモードから４：３フルモードに切り換えられる。さらに、スクリーンモード切換キー２２が１回操作されると、図４（ｂ）に示す画像サンプル３１、３２が表示され、スクリーンモードが４：３フルモードから４：３シネマモードに切り換えられる。さらに、スクリーンモード切換キー２２が１回操作されると、スクリーンモードが４：３サイドバーモードに復帰する。
【００１８】
ユーザは、切換前の画像サンプル３１及び切換後の画像サンプル３２において、カット表示部４１、帯表示部４２の有無及び位置、歪み表示部４３の形状を確認することにより、使用説明書等を確認することなしに切り換え前後における画像の違いを視覚的に理解できる。
【００１９】
以上のように、本実施形態のテレビジョン受像機１によれば、スクリーンモード切換キー２２が操作されたとき、映像出力部５の一部に、切換前の画像サンプル３１と切換後の画像サンプル３２をオンスクリーンディスプレイによって表示させるので、ユーザは、切り換え前後における画像の違いを視覚的に理解することできる。このような画像サンプルは、通常であればテレビジョン受像機の使用説明書等に記載されているが、ユーザはスクリーンモードを切り替えるたび毎に使用説明書等に目を通さなければならず、不便であった。しかしながら、本発明によれば、使用説明書等を確認することなしに切り換え前後における画像の違いを視覚的に理解できるので、テレビジョン受像機の使い勝手を高めることができる。また、切換前の画像サンプル３１及び切換後の画像サンプル３２は、カット表示部４１、帯表示部４２及び歪み表示部４３を有しているので、各スクリーンモードの表示においてカットされる部分、帯表示される部分及び水平方向又は垂直方向に拡大又は縮小される程度を視覚的に理解することができる。これにより、テレビジョン受像機の使い勝手を高めることができる。また、異なるスクリーンモードで規格されているアナログ放送信号及びデジタル放送信号のいずれの放送信号を受信した場合であっても、ユーザは、切換前後の画像サンプルを確認しながら、適切なスクリーンモードを選択することが可能となる。
【００２０】
なお、本発明は上記実施形態の構成に限られることなく、少なくとも、スクリーンモード切換キー２２が操作されたとき、映像出力部５の一部に、切換前の画像サンプル３１と切換後の画像サンプル３２をオンスクリーンディスプレイによって表示させるヨウニ構成されていればよい。また、スクリーンモードは、図３及び図４に示したものに限られることなく、他の表示モードにも広く適用することができる。
【図面の簡単な説明】
【００２１】
【図１】本発明の第１実施形態によるテレビジョン受像機の外観を示す図。
【図２】同テレビジョン受像機の内部構成を示すブロック図。
【図３】デジタル放送信号を受信中に切換可能なスクリーンモードと切換前後の画像サンプルを示す図。
【図４】アナログ放送信号を受信中に切換可能なスクリーンモードと切換前後の画像サンプルを示す図。
【符号の説明】
【００２２】
１    テレビジョン受像機
５    映像出力部（映像出力手段）
７    制御部（制御手段）
９    リモコン装置（指令入力手段）
３１    切換前の画像サンプル
３２    切換後の画像サンプル
４１    表示部
４２    帯表示部
４３    歪み表示部
【図１】
2008301437.tif 000003
【図２】
2008301437.tif 000004
【図３】
2008301437.tif 000005
【図４】
2008301437.tif 000006